(57)【要約】      （修正有）【課題】係止爪で係合する結合体を備えることでフィラメントをリング状に目的物に装着するためのフィラメント状連結体の装着装置の、特に、頭部搬送腕の支持構造の改良に関する。【解決手段】フィラメント状連結体Ｌの装着装置であって、左右の一対の中空状をした本体のグリップ２ｃ前方にトリガーレバー３を備え、少なくともそのトリガーレバーの起動によって作動する平行リンク機構を備え、その平行リンク機構で作動する前記したフィラメント状連結体の頭部搬送腕４を備えたフィラメント状連結体の装着装置において、前記頭部搬送腕の支持構造を本体内の左右のベースに形成した貫通孔に嵌入したベアリングを支持軸とし、左右のベースによって頭部搬送腕を支持した構成とした。【選択図】図６
2020111360.tif 000002
【特許請求の範囲】
【請求項１】
フィラメントの一端に、内壁に係止爪を備えた円筒状の頭部を備え、他端に、前記頭部の円筒内に挿入され、前記係止爪と係合する結合体を備え、その結合体の頭部への嵌着によって、フィラメントをリングとするためのフィラメント状連結体の装着装置であって、左右の一対の中空状をした本体のグリップ前方にトリガーレバーを備え、少なくともそのトリガーレバーの起動によって作動する平行リンク機構を備え、その平行リンク機構で作動する前記したフィラメント状連結体の頭部搬送腕を備えたフィラメント状連結体の装着装置において、前記頭部搬送腕の支持構造を本体内の左右のベースに形成した貫通孔に嵌入したベアリングを支持軸とし、左右のベースによって頭部搬送腕を支持した構成としたことを特徴とするフィラメント状連結体の装着装置。
【請求項２】
前記したベアリングは合成樹脂で成形された円筒体であることを特徴とする請求項１に記載のフィラメント状連結体の装着装置。
【請求項３】
前記した合成樹脂はポリアセタール（ＰＯＭ）であることを特徴とする請求項２に記載のフィラメント状連結体の装着装置。
【請求項４】
前記したベアリングの貫通孔の内壁は一方側を肉厚として構成してあることを特徴とする請求項２または３に記載のフィラメント状連結体の装着装置。
【発明の詳細な説明】
【技術分野】
【０００１】
本発明はフィラメント状連結体の装着装置、特に延伸したプラスチックや糸によって成形されたフィラメントの一端に、内壁に係止爪を備えた円筒状の頭部を、他端に前記した頭部の円筒孔内に挿し込み、係止爪で係合する結合体を備えることでフィラメントをリング状に目的物に装着するためのフィラメント状連結体の装着装置の改良に関し、特に、頭部搬送腕の支持構造の改良に関する。
【背景技術】
【０００２】
上記した装着装置は特許第３７１０１２３号（特許文献１）として出願人が権利を取得し、技術を開示している。その概要と今回出願人が改良した頭部搬送腕４の支持構造について、特許文献１中の図を幾つか抜粋し、本出願では図６以降として説明する。
【０００３】
図６として装着装置全体を示す。この装置本体（ケーシング）は左右の本体２ａ、２ｂを合わせ中空状の略ピストル型をした形状となっている。この装置本体の握り部２ｃ（グリップ）の前方にはトリガーレバー３が設けられており、このトリガーレバー３を引き絞る操作によって内部機構が作動する。
【０００４】
この装置本体によって使用されるフィラメント状連結体Ｌは延伸されたプラスチックや糸等によるフィラメントｆを有し、その一端に、円筒状をした頭部ｈを、他端に、この頭部ｈの係合孔（貫通孔）ｂに挿入される結合部ｋを備えており、その頭部ｈと結合部ｋは各々連結部（切断部）ｃを介してランナーＪ、Ｊと連接されている。頭部ｈの係合孔ｂの内壁面には係止爪ｔ、ｔが形成されており、結合部ｋの首部（係合段部）ａがその係止爪ｔ、ｔと係合してロック状態となり、フィラメントｆをリング状に形成する。
【０００５】
図６に示すように、装置本体の一方側面には前記した頭部ｈと結合部ｋを搬送ガイドする溝６ｂ、６ａが設けられており、結合部ｋの搬送ガイド溝６ａの前方には、その結合部ｋをロッドで押し送り、更に頭部ｈの係合孔ｂに押し入れるための中空針５が備えられている。
【０００６】
そして、この中空針５の先端に対応する位置に頭部ｈを搬送するための頭部搬送腕４が装置本体の前方上部に設けられている。この頭部搬送腕４はトリガーレバー３の引き操作で途中レバーやリンク機構によって作動し、中空針５の先端から結合部ｋが押し出される位置に停止し位置決めされる。
【０００７】
この頭部搬送腕４の機構をはじめ、その他の作動機構は特許文献１に詳細が開示されているが、頭部搬送腕４の作動機構をここで改めて説明すると、本出願の図７乃至図１０に示すとおりであり、トリガーレバー３の引き操作によって作動するピストン９の動きに連動して作動するリンク機構となっている。
【０００８】
この頭部搬送腕４の作動機構は中空の本体内に平行に配備されている第一及び第二のベース２０、２２のうち第二ベースに搭載されている。第一ベース２０には前記した頭部及び結合部のガイド溝６ｂ、６ａと対応する頭部搬送ギアや結合部搬送ギア及びピストン機構が搭載されている。
【０００９】
図７乃至図１０にあって、１７がＬ字形をした第一リンクであり、この第一リンク１７はピストン９の先端部にあるレバー作動部９ｇが第一リンク１７の側面に突設した突起部１７ａを前進用カム面９ｈに接触してガイドされながら回動し、ピストン９の戻り動作では後退用カム面９ｉに摺接し、溝部９ｋ内に嵌入されて後退用カム面９ｉとの係合が終了する。尚、図中１０はロッドを示している。
【００１０】
この第一リンク１７の他方端は第二リンク１８の二股間内に嵌入して枢動可能にピン止めし、この第二リンク１８の先端に第三リンク４ｂの下端を枢動可能にピン止めし、この第三リンク４ｂの中間に穿設された透孔４ｃに頭部送りギア（図示せず）の軸１４ｈを挿通して、この第三リンク４ｂを前後揺動可能としている。
【００１１】
この第三リンク４ｂに平行して配置されている一対、もしくは先端を二股状とした第四リンク４ａと、この第三リンク４ｂの端部に頭部搬送腕４の水平部をピン止めしてある。頭部搬送腕４はかかるリンク機構によって所定の経路で作動し、第四リンク４ａの一方端（下端側面）は、前記した軸１４ｈに当接してリンク機構の作動を停止し、頭部搬送腕４の頭部支持部４ｄに支持されている頭部ｈの係合孔ｂの中心軸を中空針５の軸線に合致させ、結合部ｋの挿入に対応することとなる。
【００１２】
しかしながら、従来の頭部搬送腕４の支持構造、換言すると第三リンク４ｂを揺動可能に支持する頭部送りギアの軸１４ｈは第一ベース２０の壁面に立設された中空状の樹脂製突起３１に金属製（ＳＵＳ）のカラー３０を乗せた構造とし、その貫通連通孔内に軸１４ｈを通した構造となっていた。
【００１３】
そのため、頭部搬送腕４の作動を停止させ、中空針５との対応する位置に頭部ｈを位置決めさせる際に、第四リンク４ａの一部がストッパーとしてカラー３０に当接（衝突）することとなり、この当接による衝撃で、カラー３０及びそれを乗せた突起３１には大きな負荷がかかり、繰り返しの使用により、どうしてもクラックの発生や破損等の損傷を生じてしまっていた。
【先行技術文献】
【特許文献】
【００１４】
【特許文献１】特許第３７１０１２３号公報
【発明の概要】
【発明が解決しようとする課題】
【００１５】
本願発明が解決しようとする問題点は、従来のフィラメント状連結体の装着装置にあっては、頭部搬送腕４を作動させるリンク機構にあって、この頭部搬送腕４を結合体の押し込みに対して待機させる位置決め時に、第四リンクの一部がストッパーとして頭部送りギアの軸１４ｈ、強いてはその軸１４ｈが挿通されている突起３１やそれに乗せられているカラー３０に衝突し、衝撃を与えるため、繰り返しの使用で、その突起３１やカラー３０に損傷を与えてしまうという点である。
【課題を解決するための手段】
【００１６】
この問題点を解決するために、本発明に係るフィラメント状連結体の装着装置は、フィラメントの一端に、内壁に係止爪を備えた円筒状の頭部を備え、他端に、前記頭部の円筒内に挿入され、前記係止爪と係合する結合体を備え、その結合体の頭部への嵌着によって、フィラメントをリングとするためのフィラメント状連結体の装着装置であって、左右の一対の中空状をした本体のグリップ前方にトリガーレバーを備え、少なくともそのトリガーレバーの起動によって作動する平行リンク機構を備え、その平行リンク機構で作動する前記したフィラメント状連結体の頭部搬送腕を備えたフィラメント状連結体の装着装置において、前記頭部搬送腕の支持構造を本体内の左右のベースに形成した貫通孔に嵌入したベアリングを支持軸とし、左右のベースによって頭部搬送腕を支持した構成としたことを特徴としている。
【００１７】
また、本発明に係るフィラメント状連結体の装着装置は、前記したベアリングは合成樹脂で成形された円筒体であることを特徴とし、前記した合成樹脂はポリアセタール（ＰＯＭ）であることを特徴とし、前記したベアリングの貫通孔の内壁は一方側を肉厚として構成してあることを特徴としている。
【発明の効果】
【００１８】
本願発明に係るフィラメント状連結体の装着装置は、上記のように構成されている。そのため、頭部搬送腕４、強いてはそれを作動させるリンク機構を第一及び第二のベース２０、２２に従来よりも大きなサイズで穿設した貫通孔にベアリングを嵌入し、そのベアリング内に頭部送りギアの軸１４ｈが挿通される構造となるため、第四リンクの一部がストッパーとして衝突してもその衝撃負荷はベアリングが嵌入されているベース２０、２２全体で受けることとなる。また、通常、リンク機構の荷重を支持する負荷もベース２０、２２へ分散されるので、ベアリング自体が受ける負荷は軽減され、損傷する虞が少なくなる。
【図面の簡単な説明】
【００１９】
【図１】本発明の要部を示す断面斜視図である。
【図２】同斜視図である。
【図３】同使用するベアリングの斜視図である。
【図４】同第二ベースの正面図である。
【図５】同背面図である。
【図６】装着装置を示す右側面図である。
【図７】頭部搬送腕の作動機構を示す図である。
【図８】同作動状態を示す図である。
【図９】同作動状態を示す図である。
【図１０】同作動状態を示し、停止状態を示す図である。
【図１１】フィラメント状連結体のアッセンブリを示す正面図である。
【図１２】同側面図である。
【図１３】従来の支持構造を示す斜視図である。
【図１４】同要部を示す断面斜視図である。
【発明を実施するための形態】
【００２０】
図面として示し、実施例で説明したように構成したことで実現した。
【実施例１】
【００２１】
次に、本発明の好ましい実施の一例を図１乃至図５を参照して説明する。尚、従来例と共通する部分は同一の符号を付して詳細な説明は省略する。本実施例では第一ベース２０及び第二ベース２２に従来よりも径を大きくした貫通孔３２ａ、３２ｂが対向位置に穿設されている。
【００２２】
前記した貫通孔３２ａ、３２ｂにはプラスチック、それも強度、弾性率、耐衝撃性、耐磨耗性に優れたポリアセタール（ＰＯＭ）で成形された円筒状のベアリング３３の各端部が各々密に嵌入されている。そして、従来と同様に頭部送りギアの軸１４ｈがここに挿通され、その軸１４ｈは第二ベース側へ突出される構造となる。
【００２３】
そして、このベアリング３３は内壁面に段３３ａを設け、第二ベース２２側を肉厚とし、軸１４ｈの遊端側の支持力を増強させた構造とし、軸１４ｈのグラ付きも抑止するものとしている。
【００２４】
本実施例は、上記したように構成されている。第一及び第二のベース２０、２２に従来よりも大径の貫通孔３２ａ、３２ｂを穿設し、その貫通孔３２ａ、３２ｂにプラスチック製、それも優れた特性を有するポリアセタール（ＰＯＭ）で成形した円筒状のベアリング３３の各端部を密に嵌入してあるので、頭部搬送腕４の作動機構〈リンク機構〉の重量的負荷もそのベアリング３３を介して第一及び第二のベース２０、２２で受けることができ、位置決め時に第四リンク４ａの一部が衝突しても脆弱な部分はなく、損傷してしまう虞が極めて少なくなっているもので、従来製品に比べはるかに長期の使用に耐えるものとなっている。
【産業上の利用可能性】
【００２５】
本実施例ではベアリング３３の材料をポリアセタール（ＰＯＭ）として示したが、これに限られるものではなく、同等の特性を有するポリアミド、ポリカーボネート、変性ポリフェニレンエーテル、ポリプチレンテレフタレート等を代替することもできる。また、ベアリング３３の第二ベース２２側を肉厚とする構成も段３３ａを設けることに代えて、テーパ状とすることによっても実現できることは勿論である。
【符号の説明】
【００２６】
２０  第一ベース
２２  第二ベース
３２ａ、３２ｂ  貫通孔
３３  ベアリング
３３ａ  段部
【図１】
2020111360.tif 000003
【図２】
2020111360.tif 000004
【図３】
2020111360.tif 000005
【図４】
2020111360.tif 000006
【図５】
2020111360.tif 000007
【図６】
2020111360.tif 000008
【図７】
2020111360.tif 000009
【図８】
2020111360.tif 000010
【図９】
2020111360.tif 000011
【図１０】
2020111360.tif 000012
【図１１】
2020111360.tif 000013
【図１２】
2020111360.tif 000014
【図１３】
2020111360.tif 000015
【図１４】
2020111360.tif 000016